(57)【要約】【課題】  墓場は暗い雰囲気があるが、墓石を構成する石材の表面または内部に太陽電池式照明器具を設けることによって、昼間は普通の墓石が、夜間になると光でライトアップされ、墓場の雰囲気を明るくすることができる照明機能付墓石を提供する。【解決手段】  墓石を構成する石材に、少なくとも太陽電池パネルと照明部と光センサが表面に位置するように、前記照明部、前記太陽電池パネル、前記光センサ、蓄電部、制御部等を備えた太陽電池式照明器具を設けたことを特徴とする。【選択図】    図１
2005188278.tif 000002
【特許請求の範囲】
【請求項１】
墓石を構成する石材に、少なくとも太陽電池パネルと照明部と光センサが表面に位置するように、前記照明部、前記太陽電池パネル、前記光センサ、蓄電部、制御部等を備えた太陽電池式照明器具を設けたことを特徴とする照明機能付墓石。
【請求項２】
照明部が墓石の任意の墓碑銘表示部を照らす位置に設けられたものであることを特徴とする請求項１記載の照明機能付墓石。
【請求項３】
墓石の墓碑銘表示部、家紋表示部などの少なくとも表面に透光性のある透光部を設け、照明部は透光部を外あるいは内側から照らす位置に設けられたものであることを特徴とする請求項１又は２記載の照明機能付墓石。
【請求項４】
墓石上に透光性のある材質よりなる立体造形物を具備し、照明部は該立体造形物を外あるいは内側から照らす位置に設けられたものであることを特徴とする請求項１、２又は３記載の照明機能付墓石。
【発明の詳細な説明】
【技術分野】
【０００１】  本発明は、墓石を構成する石材の表面または内部に、太陽電池パネルによって日中に充電し夜間になると照明が点灯する太陽電池式照明器具を設けることによって、昼間は普通の墓石が、夜間になると光でライトアップされる照明機能付墓石に関するものである。
【背景技術】
【０００２】  従来には、太陽電池を利用して墓石を照明や音声で飾ることができる屋外崇拝物飾り装置の技術が知られている（特許文献１参照。）。また、太陽電池式墓前灯籠の技術も知られている（特許文献２参照。）。
【特許文献１】特開２００１−０４９９０３号公報
【特許文献２】実用新案登録第３０８２５４４号公報
【発明の開示】
【発明が解決しようとする課題】
【０００３】  これは次のような欠点があった。
従来、お墓にお参りをする時には、ろうそくを灯しますが、ろうそくは溶けてなくなるので、その場限りの灯火でしかなかった。縁者も頻繁にお参りすることは困難であるので、人のこない墓石は毎晩暗く寂しい景観を残すだけであった。
従来の、太陽電池を利用した墓石等の屋外崇拝物飾り装置は、墓石を構成する石材とは別個の独立した照明装置であった。そのため、狭い敷地の墓所や、隣接する墓との境界線がはっきりしない墓所では、照明装置の置き場所に困った。また、太陽電池式墓前灯籠においても、やはり置き場所の点で先と同じ欠点があげられた。墓前灯籠は石碑とは別個の付属品であり、石碑の左右か前方に２個設置されるのが通例なので、墓所が狭いと置くことができなかった。また従来の墓前灯籠の形状は、丸墓前灯籠や角墓前灯籠に見られるとおり、昔ながらの和風の形状なので和型の墓石には好まれるが、洋型の墓石やデザイン型の墓石には外観が合わないので、墓前灯籠が設置されることはほとんどなかった。よって夜間になると、やはり暗い景観を残すばかりであった。本発明は、これらの欠点を解決するために発明されたものである。
【課題を解決するための手段】
【０００４】墓石を構成する石材に、少なくとも太陽電池パネルと、照明部と光センサが石材の表面に位置するように、前記照明部、前記太陽電池パネル、前記光センサ、蓄電部、制御部等を備えた太陽電池式照明器具（２）を設ける。制御部は、日中は太陽電池パネルにより蓄電部に電気を蓄電し、夜間もしくは一定以上の暗さになった際に、設定された時間の間、照明部を点灯させるものである。そのため、本発明の太陽電池式照明器具（２）においては光センサを具備し、そのセンサによって照度を測るようになっている。
照明部の大きさ、色彩、形状、数量及び組み込む場所は、墓石（１）のデザインに応じて自由に設けることができる。照明部が点灯した時に景観が美しくなるような構造に設ける。太陽電池式照明器具（２）においては、太陽電池パネル類と照明部が分けられたものと、一体化しているものがあるが、どちらを用いても構わない。実施例においては一体化したものをもちいている。
本発明は以上の構成よりなる照明機能付墓石に関するものである。
【発明の効果】
【０００５】  頻繁にお墓参りし、ろうそくを灯すことは手間のかかることである。しかし、できるならば大切な人が眠るお墓が寂しくならないように、いつも灯りをともして明るくしてあげたいと思うのが人の情である。本発明は、昼間は普通の墓石が、暗い夜間になると光でライトアップされる照明機能付墓石である。これは、自然と他のお参りの人たちの注目もあび、従来の墓場への暗く怖いイメージを、明るいものに転換させることができる。
墓石を構成する石材の表面に透光性のある透光部（３）を設け、透光部（３）の内側あるいは外側から照明をあてることにより、光（４）が反射したり、透光部（３）に施された家紋（１０）や模様（１１）が暗闇に浮かび上がることもできる。
また、透光性のある材質よりなる立体造形物（１２）を墓石上に設け、立体造形物を（１２）内側あるいは外側から照らす位置に太陽電池式照明器具（２）を設けることにより、照明がついた時に、立体造形物（１２）を光（４）が透過し、墓前灯籠のような役割を果たすこともできる。
本発明の照明機能付墓石が増えることにより、墓場の景観が暗く寂しいものから明るいものに変わっていくことができる。個人用の墓石以外にも、ペット用の墓石も同様である。
太陽電池は、これまで道路灯や非常灯及び街灯等の公共物の照明器具に用いられることが多かったが、本発明により太陽エネルギーというものが、もっと家庭に身近なものとなり、一般に普及することができる。
【発明を実施するための最良の形態】
【０００６】  以下、本発明の実施の形態について説明する。
照明が点灯した時に美観が得られる形状に墓石を設ける。墓石の基本形状は、和型、洋型、壁型、芝型、デザイン型等があげられる。墓石を構成する石材に、少なくとも太陽電池パネルと照明部と光センサが石材の表面に位置するように、前記照明部、前記太陽電池パネル、前記光センサ、蓄電部、制御部等を備えた太陽電池式照明器具（２）を設ける。制御部は、日中は太陽電池パネルにより蓄電部に電気を蓄電し、夜間もしくは一定以上の暗さになった際に、設定された時間の間、照明部を点灯させるものである。そのため、本発明の太陽電池式照明器具（２）においては光センサを具備し、そのセンサによって照度を測るようになっている。
照明部の大きさ、色彩、形状、数量及び組み込む場所は、墓石全体のデザインに応じて自由に設けることができる。太陽電池式照明器具（２）においては、太陽電池パネル類と照明部が分けられたものと、一体化しているものがあるが、どちらを用いても構わない。実施例においては一体化したものを用いている。
本発明は以上のような構成であり、昼間は一見、普通の墓石が、夜間になると光でライトアップされる照明機能付墓石に関するものである。
【実施例１】
【０００７】  太陽電池式照明器具（２）の照明部が墓石（１）の任意の墓碑銘表示部（６）を照らす位置に設けることにより、夜間に照明がついた時に、墓碑銘表示部（６）に光（４）があたり、暗闇に中で照らし出すことができる。図１においては、洋型の墓石を例題にあげているが、洋台部（５）の前方表面に太陽電池パネルと照明部が一体化した太陽電池式照明器具（２）を左右に２個設けている。また、花立（７）と香炉（８）が設置されているが、香炉（８）の上部にも、太陽電池式照明器具（２）を設けている。内蔵された光センサが照度を測り、暗くなると照明部が点灯し、光（４）が墓碑銘表示部（６）や墓石（１）全体を照らすことができる。
【実施例２】
【０００８】  墓碑銘表示部（６）、家紋表示部などの少なくとも表面に透光性のある材質で透光部（３）を設け、太陽電池式照明器具（２）の照明部は透光部（３）を外あるいは内側から照らす位置に設ける。透光性のある材質は、例えば強化ガラス、クリスタル、水晶などがあげられる。透光部（３）は模様（１１）や家紋（１０）、文字などの彫刻や印刷を施しても良い。光（４）が透光部（３）に反射したり、透過することにより、暗闇の中で墓碑銘表示部（６）や、墓石（１）全体を照らし出すことができる。
図２においては、和型の墓石を例題にあげているが、上台部（９）の前面の家紋表示部にあたる位置の内部に太陽電池式照明器具（２）を内蔵させ、内側から照明が点灯するように照明部を設ける。その上に透光部（３）として強化ガラスを貼り付けている。透光部（３）の強化ガラスには家紋（１０）を彫刻している。図３は、その断面図である。暗くなると透光部（３）の内側の照明がつき、透光部（３）に彫刻された家紋（１０）が暗闇の中で浮かび上がることができる。
【実施例３】
【０００９】  図２においては、墓石（１）の家紋表示部に透光部（３）を設け内蔵された照明部により内側から光（４）を照らした例であるが、図４に示すように、墓石（１）の特定した部分に、透光性のある材質を貼り付け、外側から照らすこともできる。
図４においては、デザイン型の墓石を例題にあげているが、墓石（１）の墓碑銘表示部（６）の表面全体に透光部（３）として強化ガラスを貼り付けている。強化ガラスには模様（１１）などの彫刻を施している。太陽電池式照明器具（２）は透光部（３）に向けて照明がつくように洋台部（５）に左右に２個、設けている。暗くなると、外側から光（４）が透光部（３）を照らし、反射して、透光部（３）に彫刻された模様（１１）が暗闇の中で浮かび上がることができる。
【実施例４】
【００１０】  墓石（１）上に、透光性のある材質よりなる立体造形物（１２）を具備し、照明部が該立体造形物（１２）を外あるいは内側から照らす位置に設けることができる。透光性のある材質は例えば強化ガラス、クリスタル、水晶などがあげられる。また、立体造形物（１２）には模様（１１）を施したり、内部に異物を混入したり、文字を彫刻してもよい。異物として例えば金粉や銀箔、造花（９）などがあげられる。
図５においては、デザイン型の墓石を例題にあげているが、洋台部（５）の上に、太陽電池式照明器具（２）を左右に２個設け、その上部に、内部に造花（１３）を混入した球形の立体造形物を設けている。暗くなると照明がつき、光（４）が立体造形物（１２）内を透過し、暗闇の中で墓前灯籠のように浮かび上がることができる。また、立体造形物（１２）内部の造花（１３）も照らし出されるので美観を得ることができる。
【図面の簡単な説明】
【００１１】
【図１】  本発明の実施例１の斜視図である。
【図２】  本発明の実施例２の前面図である。
【図３】  本発明の実施例２の断面図である。
【図４】  本発明の実施例３の斜視図である
【図５】  本発明の実施例４の斜視図である。
【符号の説明】
【００１２】      １：墓石
２：太陽電池式照明器具
３：透光部
４：光
５：洋台部
６：墓碑銘表示部
７：花立
８：香炉
９：上台部
１０：家紋
１１：模様
１２：立体造形物
１３：造花
【図１】
2005188278.tif 000003
【図２】
2005188278.tif 000004
【図３】
2005188278.tif 000005
【図４】
2005188278.tif 000006
【図５】
2005188278.tif 000007